(57)【要約】  【課題】送信用アンテナおよび送信用の増幅器を複数備えたギャップフィラーシステムとしての設置を容易なものとする。  【解決手段】送信側増幅部７００には、電源分岐部６００により駆動信号の重畳された放送信号が入力される。その後、送信側増幅部７００は、この信号から放送信号及び電源信号を分離し、この電源信号に基づいて生成した駆動信号により増幅器を駆動することで、同じく分離した放送信号の信号レベルを増幅する。この駆動信号は、伝送経路３０，３２ではなく電源分岐部６００に分岐された経路を伝送する電源信号に基づいて生成される。そのため、送信側増幅部７００の数に応じた信号レベルの信号を伝送経路３０，３２に伝送させる必要はなく、これによる電圧降下を考慮する必要もない。よって、伝送経路３０，３２に電源信号（つまり駆動信号）を伝送させる構成と比べ、この伝送経路３０，３２による伝送距離を長くすることができる。【選択図】図１
2007184661.tif 000002
【特許請求の範囲】
【請求項１】
放送局側から送信された放送信号を受信する受信用アンテナと、
該受信用アンテナにより受信された放送信号を伝送する伝送経路と、
該伝送経路を複数の経路に分岐させる分岐器と、
該分岐器により分岐された分岐経路を伝送する放送信号それぞれの信号レベルを増幅する複数の増幅部と、
該増幅部それぞれにより信号レベルの増幅された放送信号を再送信する複数の送信用アンテナと、を備えたギャップフィラー装置であって、
前記分岐経路を伝送する放送信号それぞれに、前記増幅部を駆動するために外部から供給される駆動信号を重畳させる複数の駆動重畳部を備えており、
前記増幅部は、前記分岐経路を伝送する信号から放送信号と駆動信号とを分離する駆動分離手段，および，該駆動分離手段に分離された駆動信号の供給を受けて前記分離された放送信号の信号レベルを増幅する増幅手段を有している
ことを特徴とするギャップフィラーシステム。
【請求項２】
前記伝送経路を伝送する信号から前記増幅部の動作状態を示す状態信号を分離する状態分離手段，および，該状態分離手段により分離された状態信号で示される動作状態を収集する情報収集手段を有する状態監視部が備えられており、
前記増幅部は、前記分岐経路を伝送する放送信号に、該増幅部自身の動作状態を示す状態信号を重畳させて前記伝送経路側へ出力する状態出力手段を有している
ことを特徴とする請求項１に記載のギャップフィラーシステム。
【請求項３】
前記分岐経路を伝送する信号から前記状態信号を分離する状態分離部と、
該状態分離部により分離された状態信号を中継する状態中継経路と、
前記伝送経路を伝送する放送信号に、前記状態中継経路を伝送する状態信号を重畳させて前記状態監視部側へ出力する状態重畳部と、を備えている
ことを特徴とする請求項２に記載のギャップフィラーシステム。
【請求項４】
前記状態監視部は、前記分岐経路を伝送する放送信号に、前記増幅部に前記状態信号を要求するための要求信号を重畳させて前記増幅部側へ送信する要求送信手段を有しており、
前記増幅部は、前記分岐経路を伝送する信号から前記要求信号を分離する要求分離手段を有し、前記状態送信手段が、前記要求分離手段により分離された要求信号を受けて、前記状態信号を送信する、ように構成されている
ことを特徴とする請求項２または請求項３に記載のギャップフィラーシステム。
【請求項５】
前記伝送経路を伝送する信号から前記要求信号を分離する要求分離部と、
該要求分離部により分離された要求信号を中継する要求中継経路と、
前記分岐経路を伝送する放送信号に、前記要求中継経路を伝送する要求信号を重畳させて前記増幅部側へ出力する要求重畳部と、を備えている
ことを特徴とする請求項４に記載のギャップフィラーシステム。
【請求項６】
請求項１から５のいずれかに記載の分岐器，駆動重畳部を備えている
ことを特徴とする分岐装置。
【請求項７】
請求項３から５のいずれかに記載の状態分離部，状態中継経路および状態重畳部を備えている
ことを特徴とする請求項６に記載の分岐装置。
【請求項８】
請求項５に記載の要求分離部，要求中継経路および要求重畳部を備えている
ことを特徴とする請求項６または請求項７に記載の分岐装置。
【発明の詳細な説明】
【技術分野】
【０００１】
本発明は、受信用アンテナにより受信した放送信号について、信号レベルを増幅したうえで送信用アンテナから再送信するギャップフィラーシステムに関する。
【背景技術】
【０００２】
通常、ギャップフィラーシステムでは、送信用アンテナおよび送信用の増幅器で構成される装置（送信側装置）が、受信用アンテナおよび受信用の増幅器で構成される装置（受信側装置）から離れた位置に設置される。
【０００３】
この場合、送信用の増幅器を駆動するための駆動信号は、両装置間をつなぐ伝送ケーブル（例えば、同軸ケーブルなど）を伝送される放送信号に重畳させることで、その増幅器に供給するとよい。この場合、送信側装置において、伝送されてきた信号を放送信号および駆動信号に分離すると共に、こうして分離した駆動信号の供給を受けて、同じく分離した放送信号に対する信号レベルの増幅を実現することが考えられる（特許文献１参照）。
【０００４】
このような駆動信号の供給方式であれば、両装置間に駆動信号を供給するためだけのケーブルを敷設する必要が無くなるため、そのようなケーブルの敷設に際しての手間が少なくなり、ギャップフィラーシステムとしての設置を容易なものとすることができる。
【特許文献１】特開２００３−０７８４９２号公報
【発明の開示】
【発明が解決しようとする課題】
【０００５】
ところで、例えば、放送信号の不感地帯が広い範囲にわたっていたり、不感地帯が複雑な形状となっているような場合、このような不感地帯に放送信号を再送信できるようにするためには、複数の送信側装置それぞれを異なる場所に設置する必要がある。
【０００６】
このような場合において、上述した駆動信号の供給方法を採用することを考えると、受信側装置から供給すべき駆動信号の信号レベル（電流値）は、当然、送信側装置の数に応じて大きくしなければならない。
【０００７】
しかし、駆動信号を伝送ケーブルに伝送させる場合、伝送距離に応じて電圧降下が大きくなるため、その伝送距離が長くなるほど駆動信号の信号レベルを大きくしなければならないことになるが、そのようなことは現実的とはいえず、結果的に伝送ケーブルによる伝送距離を短くせざるを得ない。
【０００８】
とはいえ、両装置間に駆動信号を供給するためだけのケーブルを敷設することは、上述したようにケーブルの敷設に際しての手間が多くなってしまうため、ギャップフィラーシステムとしての設置を容易なものとする観点からは好ましくない。
【０００９】
本発明は、このような課題を解決するためになされたものであり、その目的は、送信用アンテナおよび送信用の増幅器で構成される装置を複数備えたギャップフィラーシステムとしての設置を容易なものとするための技術を提供することである。
【課題を解決するための手段】
【００１０】
上記課題を解決するため請求項１に記載のギャップフィラーシステムは、放送局側から送信された放送信号を受信する受信用アンテナと、該受信用アンテナにより受信された放送信号を伝送する伝送経路と、該伝送経路を複数の経路に分岐させる分岐器と、該分岐器により分岐された分岐経路を伝送する放送信号それぞれの信号レベルを増幅する複数の増幅部と、該増幅部それぞれにより信号レベルの増幅された放送信号を再送信する複数の送信用アンテナと、を備えたギャップフィラー装置であって、前記分岐経路を伝送する放送信号それぞれに、前記増幅部を駆動するために外部から供給される駆動信号を重畳させる複数の駆動重畳部を備えており、前記増幅部は、前記分岐経路を伝送する信号から放送信号と駆動信号とを分離する駆動分離手段，および，該駆動分離手段に分離された駆動信号の供給を受けて前記分離された放送信号の信号レベルを増幅する増幅手段を有している、ことを特徴とする。
【００１１】
また、請求項２に記載のギャップフィラーシステムは、請求項１の構成に対し、さらに、前記伝送経路を伝送する信号から前記増幅部の動作状態を示す状態信号を分離する状態分離手段，および，該状態分離手段により分離された状態信号で示される動作状態を収集する情報収集手段を有する状態監視部が備えられており、前記増幅部は、前記分岐経路を伝送する放送信号に、該増幅部自身の動作状態を示す状態信号を重畳させて前記伝送経路側へ出力する状態出力手段を有している。
【００１２】
また、この構成において、状態信号は、放送信号と共に（放送信号に重畳させた状態で）分岐経路および伝送経路を伝送させるように構成すればよい。しかし、例えば、分岐経路中に減衰器（アッテネータ）などの要素を設けるような場合においては、状態信号の信号レベルが不必要に減衰されてしまうなどの不具合が生じる恐れがある。そこで、状態信号を別の経路で中継させるように構成することが考えられる。そのためには、例えば、請求項３に記載のように構成するとよい。
【００１３】
請求項３に記載のギャップフィラーシステムは、前記分岐経路を伝送する信号から前記状態信号を分離する状態分離部と、該状態分離部により分離された状態信号を中継する状態中継経路と、前記伝送経路を伝送する放送信号に、前記状態中継経路を伝送する状態信号を重畳させて前記状態監視部側へ出力する状態重畳部と、を備えている。
【００１４】
また、上述したように、状態監視部が増幅部の動作状態を収集する構成において、増幅部から状態信号を送信するタイミングについては、特に限定されない。例えば、増幅部が一定時間間隔で送信するように構成することが考えられる。また、増幅部が状態監視部からの要求を受けて状態信号を送信するように構成することも考えられる。
【００１５】
この後者のことを実現するためには、例えば、請求項４に記載のように構成するとよい。
請求項４に記載のギャップフィラーシステムにおいて、前記状態監視部は、前記増幅部に前記状態信号を要求するための要求信号を前記伝送経路に重畳させて前記増幅部側へ送信する要求送信手段を有しており、前記増幅部は、前記分岐経路を伝送する信号から前記要求信号を分離する要求分離手段を有し、前記状態送信手段が、前記要求分離手段により分離された要求信号を受けて、前記状態信号を送信する、ように構成されている。
【００１６】
この構成において、状態監視部による要求信号の送信は、例えば、一定時間周期、何らかのイベント発生が検出されたとき、状態監視部の処理負荷が一定以上軽いときなどのタイミングで行うように構成すればよい。また、この要求信号は、複数の増幅部全てに対して送信することとすればよいし、複数の増幅部それぞれに対して順番に送信することとしてもよい。
【００１７】
また、この構成において、要求信号は、放送信号と共に（放送信号に重畳させた状態で）分岐経路および伝送経路を伝送させるように構成すればよい。しかし、例えば、分岐経路中に減衰器（アッテネータ）などの要素を設けるような場合においては、要求信号の信号レベルが不必要に減衰されてしまうなどの不具合が生じる恐れがある。そこで、要求信号を別の経路で中継させるように構成することが考えられる。そのためには、例えば、請求項５に記載のように構成するとよい。
【００１８】
請求項５に記載のギャップフィラーシステムは、前記伝送経路を伝送する信号から前記要求信号を分離する要求分離部と、該要求分離部により分離された要求信号を中継する要求中継経路と、前記分岐経路を伝送する放送信号に、前記要求中継経路を伝送する要求信号を重畳させて前記増幅部側へ出力する要求重畳部と、を備えている。
【００１９】
また、請求項６に記載の分岐装置は、請求項１から５のいずれかに記載の分岐器，駆動重畳部を備えている。
また、請求項７に記載の分岐装置は、請求項３から５のいずれかに記載の状態分離部，状態中継経路および状態重畳部を備えている。
【００２０】
また、請求項８に記載の分岐装置は、請求項５に記載の要求分離部，要求中継経路および要求重畳部を備えている。
【発明の効果】
【００２１】
請求項１に記載のギャップフィラーシステムによれば、増幅部には、伝送経路を介して伝送されてきた放送信号に、外部から供給される駆動信号が重畳された信号が入力される。そして、このような信号を入力した増幅部は、この信号から放送信号および駆動信号を分離し、こうして分離した駆動信号の供給を受けて、同じく分離した放送信号に対する信号レベルの増幅を実現することができる。
【００２２】
このとき、増幅部へ供給される駆動信号は、伝送経路ではなく分岐経路を伝送されるため、受信用アンテナ側から増幅部および送信用アンテナの数に応じた信号レベルの信号を伝送経路に伝送させる必要はなく、そのような信号による電圧降下の影響を考慮する必要がない。よって、伝送経路により増幅部の駆動信号を伝送させる構成と比べて、この伝送経路による伝送距離を長くすることができる。
【００２３】
また、増幅部へ供給される駆動信号は、伝送経路から分岐された分岐経路に重畳されることから、増幅部に駆動信号を供給するためだけの供給経路を敷設する必要がなく、そのような敷設に際しての手間が発生しない。その結果、ギャップフィラーシステムとしての設置を容易なものとすることができる。このことは、伝送経路による伝送距離が長くなるほど顕著である。
【００２４】
請求項２に記載のギャップフィラーシステムによれば、状態監視部により増幅部の動作状態を収集することができる。
また、このとき、状態監視部が収集する動作状態を示す状態信号は、増幅部が分岐経路を伝送する放送信号に重畳させて伝送経路側へ出力した信号であって、この伝送経路を伝送される信号から状態監視部側において分離される信号である。つまり、この状態信号は、他の信号と共に伝送経路を伝送するため、状態信号を伝送するためだけの経路を伝送経路に沿って敷設する必要がなく、そのような敷設に際しての手間が発生しない。その結果、ギャップフィラーシステムを設置する手間が不必要に増加することを防止できる。このことは、伝送経路による伝送距離が長くなるほど顕著である。
【００２５】
請求項３に記載のギャップフィラーシステムによれば、状態信号が分岐経路を伝送される信号から分離され、状態中継経路に伝送されるため、例えば、分岐経路において減衰器などの要素を設ける場合であっても、その要素を迂回するように状態中継経路を設けることで、状態信号の信号レベルが不必要に減衰されてしまうなどの不具合が生じることを防止できる。
【００２６】
また、このときの状態中継経路は、分岐経路中に設ける他の要素を迂回できる程度の伝送距離があればよいため、状態信号を伝送するためだけの経路を伝送経路に沿って敷設する場合のように大きな手間が発生することもない。
【００２７】
請求項４に記載のギャップフィラーシステムによれば、状態監視部は、要求信号を送信することで、増幅部それぞれの動作状態を状態監視部自身の都合に合わせて収集することができる。
【００２８】
請求項５に記載のギャップフィラーシステムによれば、要求信号が分岐経路を伝送される信号から分離され、要求中継経路に伝送されるため、例えば、分岐経路において減衰器などの要素を設ける場合であっても、その要素を迂回するように要求中継経路を設けることで、要求信号の信号レベルが不必要に減衰されてしまうなどの不具合が生じることを防止できる。
【００２９】
請求項６に記載の分岐装置によれば、請求項１から５のいずれかに記載のギャップフィラーシステムの一部を構成することができる。
請求項７に記載の分岐装置によれば、請求項３から５のいずれかに記載のギャップフィラーシステムの一部を構成することができる。
【００３０】
請求項８に記載の分岐装置によれば、請求項５に記載のギャップフィラーシステムの一部を構成することができる。
【発明を実施するための最良の形態】
【００３１】
以下に本発明の実施形態を図面と共に説明する。
（１）全体構成
ギャップフィラーシステム１は、図１に示すように、放送局側から送信されてくる放送信号を受信する受信側装置１０，受信側装置１０にて受信された放送信号を再送信する送信側装置２０, 受信側装置１０と送信側装置２０とをつなぐ伝送経路３０，３２などからなる。なお、伝送経路３０，３２は、分配器３４を介して接続されている。
（１−１）受信側装置の構成および動作
受信側装置１０は、放送信号を受信する受信用アンテナ１００，受信用アンテナ１００により受信された放送信号の信号レベルを増幅する受信側増幅部２００，受信側増幅部２００により信号レベルの増幅された放送信号を伝送経路３０，３２経由で送信側装置２０へ送信する受信側送信部３００，受信側増幅部２００と受信側送信部３００との間に介在して受信側増幅部２００の動作状態を監視する状態監視部４００などを備えている。
【００３２】
まず、受信側増幅部２００の動作を図２に基づいて説明する。
受信側増幅部２００では、受信用アンテナ１００側から入力される信号の信号レベルが多段増幅器２０２により増幅される。その後、こうして信号レベルが増幅された信号のうち、放送信号に相当する周波数帯域がハイパスフィルタ２０４を通過して状態監視部４００側へ出力される。ここで、ハイパスフィルタ２０４から状態監視部４００へ至る経路には、電源分離回路２０６が設けられているが、この電源分離回路２０６は、後述する電源信号の周波数成分のみを分離して電源部２２０へとつながる経路に出力し、それより高周波帯域の信号を双方向に通過させる回路構成となっている。そのため、ハイパスフィルタ２０４を通過した信号（放送信号）は、電源分離回路２０６を通過して状態監視部４００側に出力される。
【００３３】
また、この受信側増幅部２００では、ＣＰＵ２１０により上述した多段増幅器２０２の動作状態（例えば、入出力レベル，ＦＥＴ（増幅素子）などの電流値や電圧値，温度など）が監視されている。ＣＰＵ２１０は、その動作状態を示す状態情報を、所定のタイミングで状態監視部４００側に出力する。この状態情報は、変調部２１２によって放送信号よりも低周波帯域（ｆ１）の状態信号に変調（例えば、ＦＳＫによる変調；以下同様）されたうえ、ダイプレクサ２１４，ローパスフィルタ２１６および電源分離回路２０６を介して状態監視部４００側へ出力される。
【００３４】
ここで、ＣＰＵ２１０が状態情報を出力するタイミングは、動作状態が受信側増幅部２００に異常が発生したことを示しているとき，一定の時間周期などＣＰＵ２１０側で定められたタイミングの他、状態監視部４００側からの要求信号を受けたときがある。
【００３５】
この要求信号とは、放送信号よりも低周波帯域（ｆ２，ｆ２≠ｆ１）の信号であって、状態監視部４００が、状態監視部４００から受信側増幅部２００に至る経路を伝送される信号に重畳して出力してくる信号である。そして、状態監視部４００から出力されてきた要求信号は、電源分離回路２０６，ローパスフィルタ２１６およびダイプレクサ２１４を通過した後、復調部２１８に入力される。こうして、復調部２１８に入力された要求信号は、ＣＰＵ２１０の処理に適した要求情報に復調（例えば、ＦＳＫによる復調；以下同様）されたうえで、ＣＰＵ２１０に入力される。この要求情報を入力したＣＰＵ２１０は、その時点での動作状態を示す状態情報を、上述したのと同様に状態監視部４００側へ出力することとなる。
【００３６】
また、この受信側増幅部２００は、電源部２２０により生成した駆動信号を、各構成要素（多段増幅器２０２，ＣＰＵ２１０など）に供給することで動作する。後述のように、受信側増幅部２００から状態監視部４００に至る経路を伝送する信号には、状態監視部４００により出力された信号であって、受信側増幅部２００に電源を供給するための電源信号が重畳されている。この電源信号は、電源分離回路２０６により分離されて電源部２２０に至る経路へ出力されており、電源部２２０は、この電源信号に基づいて駆動信号（本実施形態においては、ＤＣ１２Ｖの信号）を生成する。なお、ここで駆動信号を生成する基となる電源信号は、状態信号および要求信号よりも更に低周波帯域の信号（本実施形態においては、直流の信号）である。
【００３７】
次に、状態監視部４００の構成および動作を図３に基づいて説明する。
状態監視部４００では、受信側増幅部２００側から入力された放送信号がハイパスフィルタ４０２を通過して受信側送信部３００側に出力される。ここで、受信側増幅部２００からハイパスフィルタ４０２へ至る経路には、電源挿入回路４０４が設けられているが、この電源挿入回路４０４は、上述した電源信号より高周波成分を双方向に通過させる回路構成となっている。そのため、受信側増幅部２００側から入力された放送信号は、電源挿入回路４０４を通過してハイパスフィルタ４０２に到達することとなる。
【００３８】
また、この状態監視部４００は、電源部４０６により外部電源に基づいて生成した駆動信号（本実施形態においては、ＤＣ１２Ｖの信号）を、各構成要素（後述するＣＰＵ４０８，送受信部４１８など）に供給することで動作する。また、この電源部４０６は、駆動信号だけでなく、外部電源に基づき、状態信号および要求信号よりも更に低周波帯域の信号（直流の信号）を電源信号として生成している。この電源信号は、電源挿入回路４０４に入力されることで、この電源挿入回路４０４により、状態監視部４００から受信側増幅部２００に至る経路を伝送する信号に重畳されて受信側増幅部２００側に出力される。
【００３９】
また、この状態監視部４００においては、ＣＰＵ４０８が、一定周期で受信側増幅部２００側に要求指令を出力すると共に、受信側増幅部２００側から出力されてくる状態信号を入力する。ここで、要求指令は、変調部４１０にて放送信号よりも低周波帯域（ｆ２）の要求信号に変調されたうえで、ダイプレクサ４１２，ローパスフィルタ４１４および電源挿入回路４０４を通過して受信側増幅部２００側へ出力される。また、状態信号は、電源挿入回路４０４，ローパスフィルタ４１４およびダイプレクサ４１２を通過して復調部４１６に入力される。この復調部４１６は、状態信号をＣＰＵ４０８の処理に適した状態情報に復調したうえでＣＰＵ４０８に入力する。ＣＰＵ４０８は、一定時間内に入力した状態情報を収集し、こうして収集した状態情報を送受信部４１８によりあらかじめ定められた送信先に送信させる。送受信部４１８は、無線アンテナ４２０を介して状態情報を送信する。
【００４０】
なお、受信側送信部３００は、単に状態監視部４００から入力した放送信号を伝送経路３０，３２経由で送信するだけのものであるため、詳細な説明を省略する。
（１−２）送信側装置の構成および動作
送信側装置２０は、伝送経路３０，３２を介して受信側装置１０側から送信されてきた放送信号を受信する送信側受信部５００，送信側受信部５００により受信された放送信号を分岐する電源分岐部６００，電源分岐部６００に分岐された放送信号の信号レベルを増幅する送信側増幅部７００，送信側増幅部７００により信号レベルの増幅された放送信号を再送信する送信用アンテナ８００，送信側受信部５００と電源分岐部６００との間に介在して送信側増幅部７００の動作状態を監視する状態監視部９００などを備えている。
【００４１】
まず、状態監視部９００の構成および動作を図４に基づいて説明する。
状態監視部９００では、送信側受信部５００から入力された放送信号がハイパスフィルタ９０２を通過して電源分岐部６００側に出力される。
【００４２】
また、この状態監視部９００においては、ＣＰＵ９０４が、一定周期で送信側増幅部７００側に要求指令を出力すると共に、送信側増幅部７００側から送信されてくる状態信号を入力する。このとき、要求指令は、変調部９０６によって放送信号よりも低周波帯域（ｆ２）の要求信号に変調されたうえで、ダイプレクサ９０８およびローパスフィルタ９１０を通過して電源分岐部６００側へ出力される。また、状態信号は、放送信号よりも低周波帯域（ｆ１）の信号であって、送信側増幅部７００が、送信側増幅部７００から電源分岐部６００に至る経路を伝送される信号に重畳して出力してくる信号である。そして、送信側増幅部７００から出力されてきた状態信号は、ローパスフィルタ９１０およびダイプレクサ９０８を通過して復調部９１２に入力される。この復調部９１２は、状態信号をＣＰＵ９０４の処理に適した状態情報に復調したうえでＣＰＵ９０４に入力する。ＣＰＵ９０４は、一定時間内に入力した状態情報を収集し、こうして収集した状態情報を送受信部９１４によりあらかじめ定められた送信先に送信させる。送受信部９１４は、無線アンテナ９１６を介して状態情報を送信する。
【００４３】
また、この状態監視部９００は、電源部９１８により外部電源に基づいて生成した駆動信号（本実施形態においては、ＤＣ１２Ｖの信号）を、各構成要素（ＣＰＵ９０４，送受信部９１４など）に供給することで動作する。
【００４４】
なお、送信側装置２０における送信側受信部５００は、単に伝送経路３０，３２から入力した放送信号を受信して状態監視部９００へ出力するだけのものであるため、詳細な説明を省略する。
【００４５】
次に、電源分岐部６００の構成および動作を、図５に基づいて説明する。
電源分岐部６００では、状態監視部９００側から入力された放送信号が、分岐器６０４に入力されることで、２つの経路それぞれに分岐される。こうして、分岐器６０４により分岐された経路のうち、一方の経路（図５において左下方向へ向かう経路）を伝送する放送信号は、後段の電源分岐部６００側へ出力される。また、他方の経路（図５において右方向へ向かう経路）を伝送する放送信号は、分配器６０８に入力されることで、更に複数の経路（本実施形態においては、２つの経路）それぞれに分配される。
【００４６】
こうして、分配器６０８により分配された放送信号は、それぞれハイパスフィルタ６１０，減衰器（アッテネータ；ＡＴＴ）６１２およびハイパスフィルタ６１４を通過して、電源挿入回路（電源挿入）６１６に入力される。
【００４７】
この電源挿入回路６１６には、電源部６１８が外部電源に基づいて生成した電源信号が入力されている。この電源信号は、電源挿入回路６１６によって、送信側増幅部７００に至る経路を伝送する信号に重畳されて送信側増幅部７００側へ出力される。なお、電源部６１８は、電源分岐部６００の各構成要素（後述のＣＰＵ６２８および６３０など）に供給すべき駆動信号（本実施形態においては、ＤＣ１２Ｖの信号）も生成しており、この駆動信号を構成要素それぞれに供給している。
【００４８】
また、この電源分岐部６００には、入出力ポートを介して接続された第１ＣＰＵ（ＣＰＵ（１））６２２および第２ＣＰＵ（ＣＰＵ（２））６２４などにより、状態監視部９００と送信側増幅部７００との間における状態信号および要求信号のやりとりを中継する中継経路を形成している。
【００４９】
まず、状態監視部９００側から入力した要求信号は、ローパスフィルタ６２６およびダイプレクサ６２８を介して復調部６３０に入力されると共に、後段の電源分岐部６００（または終端抵抗４０）側に出力される。なお、この要求信号は、放送信号よりも低周波帯域（ｆ１）の信号である。こうして、復調部６３０に入力された要求信号は、ＣＰＵ６２２，６２４の処理に適した要求情報に復調されたうえで、第１ＣＰＵ６２２に入力される。
【００５０】
この要求情報を入力したＣＰＵ６２２は、この要求情報を第２ＣＰＵ６２４に渡し、第２ＣＰＵ６２４は、この要求情報を変調部６３４に入力する。こうして、変調部６３４に入力された要求情報は、この変調部６３４にて放送信号よりも低周波帯域（ｆ３，ｆ３≠ｆ１）の要求信号に変調されてダイプレクサ６３６を通過した後、分配器６０８により分配された経路それぞれの電源挿入回路６１６にローパスフィルタ６３８を介して入力される。電源挿入回路６１６は、この要求信号を送信側増幅部７００に至る経路を伝送する信号に重畳させて送信側増幅部７００側に出力する。
【００５１】
また、送信側増幅部７００側から入力した状態信号は、それぞれ電源挿入回路６１６，ローパスフィルタ６３８およびダイプレクサ６２８を介して復調部６４０に入力される。なお、この状態信号は、放送信号よりも低周波帯域（ｆ４，ｆ４≠ｆ３）の信号である。こうして、復調部６４０に入力された状態信号は、ＣＰＵ６２２，６２４の処理に適した状態情報に復調されたうえで、第２ＣＰＵ６２４に入力される。この状態情報を入力した第２ＣＰＵ６２４は、この状態情報を第１ＣＰＵ６２２に渡し、第１ＣＰＵ６２２は、ｋの状態情報を変調部６４２に入力する。こうして変調部６４２に入力された状態情報は、変調部６４２にて放送信号よりも低周波帯域（ｆ２，ｆ２≠ｆ４）の状態信号に変調された後、ダイプレクサ６２８およびローパスフィルタ６２６を介して状態監視部９００側へ出力される。
【００５２】
次に、送信側増幅部７００の構成および動作を、図６に基づいて説明する。
送信側増幅部７００では、電源分岐部６００側から入力された信号のうち、放送信号に相当する周波数成分がハイパスフィルタ７０２を介して多段増幅器７０４に入力され、ここで信号レベルが増幅されたうえで、送信用アンテナ８００側へ出力される。ここで、電源分岐部６００からハイパスフィルタ７０２に至る経路には、電源分離回路７０６が設けられているが、この電源分離回路７０６は、後述する電源信号の周波数成分（直流）のみを分離して電源部７０８へとつながる経路に出力し、それより高周波帯域の信号を双方向に通過させる回路構成となっている。そのため、電源分岐部６００側から入力された信号のうち、電源信号より高周波成分となる放送信号は、電源分離回路７０６を通過してハイパスフィルタ７０２に到達することとなる。
【００５３】
また、この送信側増幅部７００では、ＣＰＵ７１０により上述した多段増幅器７０４の動作状態（同上）が監視されている。ＣＰＵ７１０は、その動作状態を示す状態情報を、所定のタイミングで状態監視部９００側に出力する。この状態情報は、変調部７１２によって放送信号よりも低周波帯域（ｆ４）の状態信号に変調されたうえ、ダイプレクサ７１４，ローパスフィルタ７１６および電源分離回路７０６を通過して電源分岐部６００側に出力される。
【００５４】
ここで、ＣＰＵ７１０が状態情報を出力するタイミングは、動作状態が送信側増幅部７００に異常が発生したことを示しているとき，一定の時間周期などＣＰＵ７１０側で定められたタイミングの他、状態監視部９００側からの要求信号を受けたときがある。
【００５５】
この要求信号は、上述したように、状態監視部９００が、状態監視部９００から送信側増幅部７００に至る経路を伝送される信号に重畳して出力してくる信号である。なお、この要求信号は、放送信号よりも低周波帯域（ｆ３）の信号である。そして、状態監視部９００から出力されてきた要求信号は、電源分離回路７０６，ローパスフィルタ７１６およびダイプレクサ７１４を通過した後、復調部７１８に入力される。こうして、復調部７１８に入力された要求信号は、ＣＰＵ７１０の処理に適した要求情報に復調されたうえで、ＣＰＵ７１０に入力される。この要求情報を入力したＣＰＵ７１０は、その時点での動作状態を示す状態情報を、上述したのと同様に状態監視部９００側へ出力することとなる。
【００５６】
また、この送信側増幅部７００は、電源部７０８が電源分離回路７０６から分離した電源信号に基づいて生成した駆動信号を、各構成要素（多段増幅器７０４，ＣＰＵ７１０など）に供給することで動作する。上述したように、送信側増幅部７００から電源分岐部６００に至る経路には、電源分岐部６００によって、送信側増幅部７００に電源を供給するための電源信号が重畳されている。この電源信号は、電源分離回路７０６により分離されて電源部７０８に至る経路へ出力されており、電源部７０８は、この電源信号に基づいて駆動信号（本実施形態においては、ＤＣ１２Ｖの信号）を生成する。なお、ここで駆動信号を生成する基となる電源信号は、状態信号および要求信号よりも更に低周波帯の信号（直流の信号）である。
（２）作用，効果
上述したギャップフィラーシステム１によれば、送信側増幅部７００には、伝送経路３０，３２を介して伝送されてきた放送信号に、電源分岐部６００により駆動信号の重畳された信号が入力される。そして、このような信号を入力した送信側増幅部７００は、この信号から放送信号および電源信号を電源分離回路７０６で分離し、こうして分離した電源信号に基づいて電源部７０８が生成した駆動信号を、多段増幅器７０４に供給している。こうして、電源分離回路７０６にて分離した放送信号について、多段増幅器７０４による信号レベルの増幅を実現することができる。
【００５７】
このとき、多段増幅器７０４に供給される駆動信号は、伝送経路３０，３２ではなく電源分岐部６００により分岐された経路（以降、「分岐経路」という）を伝送される電源信号に基づいて生成される。そのため、送信側増幅部７００および送信用アンテナ８００の数に応じた信号レベルの信号を伝送経路３０，３２に伝送させる必要なく、そのような信号による電圧降下の影響を考慮する必要がない。よって、伝送経路３０，３２により電源信号（つまり駆動信号）を伝送させる構成と比べて、この伝送経路３０，３２による伝送距離を長くすることができる。
【００５８】
また、送信側増幅部７００に供給される電源信号は、伝送経路３０，３２ではなく分岐経路を伝送されることから、送信側増幅部７００に電源信号を供給するための供給経路を敷設する必要がなく、そのような敷設に際しての手間が発生しない。その結果、ギャップフィラーシステム１としての設置を容易なものとすることができる。このことは、伝送経路３０，３２による伝送距離が長くなるほど顕著である。
【００５９】
また、上述した構成であれば、状態監視部９００により、送信側増幅部７００の動作状態を示す状態情報を収集して、あらかじめ定められた通知先に通知することができる。
また、こうして状態監視部９００が収集する状態情報は、送信側増幅部７００が分岐経路を伝送する放送信号に重畳させて伝送経路３０，３２側へ出力した信号であって、この伝送経路３０，３２を伝送される信号から状態監視部９００側において分離される信号である。つまり、この状態信号は、他の信号と共に伝送経路３０，３２を伝送するため、状態信号を伝送するためだけの経路を伝送経路３０，３２に沿って敷設する必要がなく、そのような敷設に際しての手間が発生しない。その結果、ギャップフィラーシステム１を設置する手間が不必要に増加することを防止できる。このことは、伝送経路３０，３２による伝送距離が長くなるほど顕著である。
【００６０】
また、上述した構成であれば、電源分岐部６００において、状態信号および要求信号は、ハイパスフィルタ６１４、ローパスフィルタ６２６，６３８により、分岐経路を伝送される信号から分離され、ローパスフィルタ６２６とローパスフィルタ６３８とで挟まれた中継経路を伝送することとなる。そのため、上記構成のように分岐経路において減衰器６１２などの要素を設けた場合であっても、その要素を迂回するように中継経路が形成されることにより、状態信号および要求信号の信号レベルが不必要に減衰されてしまうなどの不具合が生じることを防止できる。
【００６１】
また、この中継経路は、分岐経路中に設ける他の要素を迂回できる程度の伝送距離が確保できればよく、状態信号および要求信号を伝送するためだけの経路を伝送経路３０，３２に沿って敷設する場合のように大きな手間が発生することもない。特に、本実施形態においては、電源分岐部６００に上述のような中継経路が内蔵されているため、このような電源分岐部６００を用いてギャップフィラーシステム１を設置すれば、中継経路を敷設するための手間が発生することもない。
【００６２】
また、状態監視部９００は、送信側増幅部７００に対して要求信号を送信することで、この送信側増幅部７００から状態信号で示される状態情報を、状態監視部９００の都合に合わせて収集することができる。
（３）変形例
以上、本発明の実施の形態について説明したが、本発明は、上記実施形態に何ら限定されることはなく、本発明の技術的範囲に属する限り種々の形態をとり得ることはいうまでもない。
【００６３】
例えば、上記実施形態においては、送信側装置２０の状態監視部９００が要求信号を出力した際、この要求信号を入力した全ての送信側増幅部７００が状態信号を状態監視部９００側へ出力するように構成されたものを例示した。しかし、状態監視部９００が、特定の送信側増幅部７００のみに対して状態信号を要求する信号として出力するように構成してもよい。このためには、要求信号を、常態信号を要求すべき送信側増幅部７００の識別情報を示す信号とすればよい。
【００６４】
また、上記実施形態において、状態監視部４００は、ＣＰＵ４０８により一定周期で受信側増幅器２００に対して要求信号を出力するように構成されたものを例示した。しかし、この要求信号を出力するタイミングについては、これ以外のタイミングとなるように構成してもよい。例えば、状態監視部４００において何らかのイベント（特定の動作状態になったり、外部からの指令を受けたりなど）が発生したとき，ＣＰＵ４０８による処理負荷が一定以上の軽さのとき，などとすることが考えられる。
（４）本発明との対応関係
以上説明した実施形態において、送信側増幅部７００は本発明における増幅部であり、この送信側増幅部７００の電源分離回路７０６が本発明における駆動分離手段であり、多段増幅器７０４が本発明における増幅手段であり、ハイパスフィルタ７０２およびローパスフィルタ７１６が本発明における状態出力手段および要求分離手段である。
【００６５】
また、電源分岐部６００は、本発明における分岐装置であり、この電源分岐部６００の電源挿入回路６１６および電源部６１８は本発明における駆動重畳部であり、ハイパスフィルタ６１４およびローパスフィルタ６３８が本発明における状態分離部および要求重畳部であり、ローパスフィルタ６２６が本発明における状態重畳部および要求分離部であり、ローパスフィルタ６２６からローパスフィルタ６３８に至る経路が本発明における状態中継経路および要求中継経路である。
【００６６】
また、状態監視部９００において、ハイパスフィルタ９０２およびローパスフィルタ９１０が本発明における状態分離手段および要求送信手段であり、ＣＰＵ９０４が本発明における情報収集手段である。
【図面の簡単な説明】
【００６７】
【図１】ギャップフィラーシステムの構成を示すブロック図
【図２】受信側装置における受信側増幅部の要部構成を示すブロック図
【図３】受信側装置における電源監視部の要部構成を示すブロック図
【図４】送信側装置における電源監視部の要部構成を示すブロック図
【図５】送信側装置における電源分岐部の要部構成を示すブロック図
【図６】送信側装置における送信側増幅部の要部構成を示すブロック図
【符号の説明】
【００６８】
１…ギャップフィラーシステム、１０…受信側装置、２０…送信側装置、３０…伝送経路、３２…伝送経路、３４…分配器、４０…終端抵抗、１００…受信用アンテナ、２００…受信側増幅部、２０２…多段増幅器、２０４…ハイパスフィルタ、２０６…電源分離回路、２１２…変調部、２１４…ダイプレクサ、２１６…ローパスフィルタ、２１８…復調部、２２０…電源部、３００…受信側送信部、４００…状態監視部、４０２…ハイパスフィルタ、４０４…電源挿入回路、４０６…電源部、４１０…変調部、４１２…ダイプレクサ、４１４…ローパスフィルタ、４１６…復調部、４１８…送受信部、４２０…無線アンテナ、５００…送信側受信部、６００…電源分岐部、６０４…分岐器、６０８…分配器、６１０…ハイパスフィルタ、６１２…減衰器、６１４…ハイパスフィルタ、６１６…電源挿入回路、６１８…電源部、６２２…第１ＣＰＵ、６２４…第２ＣＰＵ、６２６…ローパスフィルタ、６２８…ダイプレクサ、６３０…復調部、６３４…変調部、６３６…ダイプレクサ、６３８…ローパスフィルタ、６４０…復調部、６４２…変調部、７００…送信側増幅部、７０２…ハイパスフィルタ、７０４…多段増幅器、７０６…電源分離回路、７０８…電源部、７１２…変調部、７１４…ダイプレクサ、７１６…ローパスフィルタ、７１８…復調部、８００…送信用アンテナ、９００…状態監視部、９０２…ハイパスフィルタ、９０６…変調部、９０８…ダイプレクサ、９１０…ローパスフィルタ、９１２…復調部、９１４…送受信部、９１６…無線アンテナ、９１８…電源部。
【図１】
2007184661.tif 000003
【図２】
2007184661.tif 000004
【図３】
2007184661.tif 000005
【図４】
2007184661.tif 000006
【図５】
2007184661.tif 000007
【図６】
2007184661.tif 000008